(57)【要約】【課題】明瞭な音色で、共鳴効果に優れた呼び鈴の構造を提供する。【解決手段】外部カバー４０、鐘５０、打撃ハンマー７０および押圧構造から構成される。鐘の形状の外部カバー４０は、下方に開口を備え、組立孔４３が貫設される。鐘５０は外部カバー４０内に吊設され、組立孔４３に対応する位置には鐘孔部５１が設けられ、鐘孔部５１は固定部材６０が設置される外部カバー４０の組立孔４３内に設置される。固定部材６０は底端の偏心位置にばね８１によって復位する打撃ハンマー７０が枢設され、押圧構造の制御ロッド８２が打撃ハンマー７０と連動し、制御ロッド８２の上端が外部カバー４０上方に突出し、押圧ボタン８４を押すことによって鐘５０を打撃して音を出すことができる。【選択図】  図４
0003120162.tif 000002
【実用新案登録請求の範囲】
【請求項１】
外部カバー、鐘、打撃ハンマーおよび押圧構造を備え、
前記外部カバーは、鐘状の形状であって、下方に開口を備えると共に頂部に打撃ハンマーの制御ロッドを挿通する組立孔が貫設され、
前記鐘は、前記外部カバーよりも小さく、下方に開口を備え、底端が宙に浮いた状態で外部カバー内に吊設され、前記組立孔に対応する頂部に鐘孔部が設けられ、
前記打撃ハンマーは、前記鐘内部に枢設され、
前記押圧構造は、組立孔および鐘孔部を貫通する制御ロッドを設けて、該制御ロッドを前記鐘内部に枢設された打撃ハンマーに当接させ、制御ロッドを押圧すると打撃ハンマーを駆動して鐘を打撃することを特徴とする呼び鈴の構造。
【請求項２】
前記外部カバーは、左ケーシングおよび右ケーシングとから構成され、前記左ケーシングおよび右ケーシングは接合面上のお互いに対応する嵌合柱および嵌合孔によって一体に固定され、左ケーシングおよび右ケーシングが接合された上端の位置には組立孔が設けられ、前記組立孔の内径には挟持溝が横向きに設けられ、前記挟持溝に鐘を吊設する固定部材が嵌合されて、該固定部材によって鐘が外部カバー内に吊設されることを特徴とする請求項１記載の呼び鈴の構造。
【請求項３】
外部カバーの組立孔内径には、挟持溝が横向きに設けられ、前記挟持溝には固定部材が嵌合され、前記固定部材は鐘の開口内から上向に配置されて鐘孔部と接合される支持台が設けられると共に該固定部材上に上向きに軸部材が設けられ、前記軸部材は鐘孔部を貫通して外部カバーの組立孔に達し、軸部材の上端に設けられた定位突部が前記挟持溝に嵌合して固定されることによって鐘が外部カバー内に吊設されることを特徴とする請求項１または２記載の呼び鈴の構造。
【請求項４】
前記固定部材の底端の一側に下向きに突出部が設けられ、前記突出部には枢設孔が横向きに設けられ、また、固定部材の軸心には上下に挿通する固定部材孔が設けられ、
前記打撃ハンマーは、ロッド部を備え、前記ロッド部は前記固定部材孔の真下に位置し、ロッド部の先端には打撃部が設けられ、ロッド部の上端の偏心位置には横向きに枢軸が設けられて該突出部の枢設孔内に回動可能に嵌合することによって打撃ハンマーを該鐘内に枢設し、
前記押圧構造は、ばねが枢軸に嵌合されて、ばねの一方の端部が固定部材底端に支持され、他端部が打撃ハンマーのロッド部に支持されることによってロッド部はばねの弾力によって固定部材孔の真下に定位され、前記制御ロッドは固定部材孔内に貫設されてその底端がロッド部上に接触し、上端は外部カバー上方に突出することを特徴とする請求項３記載の呼び鈴の構造。
【請求項５】
前記制御ロッドは、挿通する固定部材孔の大きさに応じて、脱落防止リングが設けられることを特徴とする請求項４記載の呼び鈴の構造。
【請求項６】
前記制御ロッド上端には、押圧ボタンが設けられることを特徴とする請求項４記載の呼び鈴の構造。
【考案の詳細な説明】
【技術分野】
【０００１】
本考案は手動の呼び鈴の構造に関し、特に明瞭な音色を出すことができ、共鳴効果に優れた呼び鈴の構造に関する。
【背景技術】
【０００２】
最新の手動の呼び鈴の構造として、特許文献１があり、図１、２、３に示すように、鐘１０が定位体２０によって台座３０上に設置され、台座３０には突出した直立台３１が設けられていて、直立台３１の上端には組立孔３２、一側辺には延伸台３３が設けられ、延伸台３３上縁に設けられた嵌合溝３４によって打撃ハンマー３５の枢軸３８が掛合される。打撃ハンマー３５の枢軸３７上端には斜板３６が設けられ、下端には打撃部３８が設けられ、打撃ハンマー３５を動かすことができる。
【０００３】
定位体２０底端には切欠溝２５およびストッパ凸縁２２が設けられて、ストッパ凸縁２２および先端の掛合固定凸縁２３との間に掛合溝２４が形成される。掛合溝２４は丁度鐘１０の組立孔１１および台座３０の直立台３１の組立孔３２を貫通して係合し、鐘１０と直立台３１とを一体に結合する。定位体２０中心には伸縮孔２１が設けられ、押圧ロッド２７が貫通挿入される。押圧ロッド２７と定位体２０との間にはばね２６が設けられ、押圧ロッド２７は打撃ハンマー３５の斜板３６に当接し、押圧ロッド２７が押圧される度に斜板３６を押し下げて打撃ハンマー３５を駆動し、打撃部３８が鐘１０を打撃する。
【０００４】
特許文献１の構造において、鐘１０は外部に露出しており、押圧ロッド２７が押圧されて打撃部３８が鐘１０を打撃するとき、押圧する人の手が鐘１０に触れたりすると、鐘の音がはっきりしなくなるので、使用者は注意して使用しなければならず、使用上不便である。
【０００５】
また、鐘１０底端は定位体２０によって台座３０上において宙に浮いた状態となっており、鐘１０底端と台座３０底面との間に大きな隙間が形成され、この隙間から鐘１０の音が漏れ、全体の共鳴効果に影響を与えている。
【特許文献１】台湾専利公告第４７２９３２号
【特許文献２】実開平３−５３２８０号公報
【考案の開示】
【考案が解決しようとする課題】
【０００６】
本考案の目的は、明瞭な音色を出すことができ、共鳴効果に優れた呼び鈴の構造を提供することにある。
【課題を解決するための手段】
【０００７】
上記目的を達成するために、請求項１の考案は、外部カバー、鐘、打撃ハンマーおよび押圧構造を備え、外部カバーは、鐘状の形状であり、下方に開口を備え、組立孔が貫設され、鐘は、外部カバーよりも小さく、下方に開口を備え、底端が宙に浮いた状態で外部カバー内に吊設され、組立孔に対応する位置に鐘孔部が設けられ、打撃ハンマーは、鐘内部に枢設され、押圧構造は、制御ロッドが設けられ、制御ロッドは組立孔および鐘孔部を貫通して打撃ハンマーと連動し、制御ロッドを押圧すると打撃部が鐘を打撃することを特徴とする呼び鈴の構造である。
【０００８】
請求項２の考案は、外部カバーは、左ケーシングおよび右ケーシングが接合されて構成され、左ケーシングおよび右ケーシングの接合面はお互いに対応する嵌合柱および嵌合孔によって一体に固定され、左ケーシングおよび右ケーシングが接合する上端の位置には組立孔が設けられ、組立孔の内径には挟持溝が横向きに設けられ、挟持溝に固定部材が設置され、固定部材によって鐘が外部カバー内に吊設されることを特徴とする請求項１記載の呼び鈴の構造である。
【０００９】
請求項３の考案は、外部カバーの組立孔内径には、挟持溝が横向きに設けられ、挟持溝には固定部材が設置され、固定部材は鐘の開口から上向きに設置され、鐘孔部と接合される支持台が設けられ、固定部材は上向きに軸部材が設けられ、軸部材は鐘孔部を貫通し、外部カバーの組立孔に達し、軸部材の上端には定位突部が設けられ、定位突部は挟持溝によって固定され、固定部材によって鐘が外部カバー内に吊設されることを特徴とする請求項１または２記載の呼び鈴の構造である。
【００１０】
請求項４の考案は、固定部材の底端には、一側に下向きに突出部が設けられ、突出部には枢設孔が横向きに設けられ、固定部材の軸心位置には下から上に向かって固定部材孔が設けられ、打撃ハンマーは、ロッド部を備え、ロッド部は固定部材孔の真下に位置し、ロッド部の底端には打撃部が設けられ、ロッド部の上端の偏心位置には横向きに枢軸が設けられ、枢軸は突出部の枢設孔内に枢設され、押圧構造は、ばねが枢軸に嵌合され、ばねは、ばね端部が固定部材底端に支持され、もう一つのばね端部が打撃ハンマーのロッド部に支持され、ロッド部はばねの弾力によって固定部材孔の真下に定位され、制御ロッドは固定部材孔内に貫設され、制御ロッド底端はロッド部上に接触し、上端は外部カバー上方に突出することを特徴とする請求項３記載の呼び鈴の構造である。
【００１１】
請求項５の考案は、制御ロッドは、固定部材孔の大きさに応じて、接続される位置にリングが設けられることを特徴とする請求項４記載の呼び鈴の構造である。
【００１２】
請求項６の考案は、制御ロッド上端には、押圧ボタンが設けられることを特徴とする請求項４記載の呼び鈴の構造である。
【考案の効果】
【００１３】
１  本考案による呼び鈴は、鐘が外部カバーによって覆われており、鐘の底端が外部カバー内に吊設されているので、鐘を保護でき、鐘を鳴らす動作をするとき、手は外部カバーに触れるだけで、鐘には触れないので、鐘ははっきりとした音を出すことができる。
２  本考案による呼び鈴は、鐘の底端が固定部材によって外部カバー内に吊設され、外部カバーは全ての平面部分に接近させることができるので、従来技術によるもののように鐘の底端に大きな隙間ができる欠点を解決でき、その共鳴効果は特許文献１に示す構造よりもはるかに優れる。
【考案を実施するための最良の形態】
【００１４】
本考案の目的、特徴および効果を示す実施例を図に沿って詳細に説明する。
【００１５】
図４、５、６、７に示すように、本考案は外部カバー４０、鐘５０、固定部材６０、打撃ハンマー７０および押圧構造を備える。
【００１６】
外部カバー４０は、非金属材料からなり、鐘状の形状であって下方が開口をなす。外部カバー４０は左右対称である左ケーシング４１と右ケーシング４２とが接合されて構成され、左ケーシング４１および右ケーシング４２の接合面には対応する嵌合柱４１０および嵌合孔４２０が設けられ、左ケーシング４１と右ケーシング４２とは嵌合柱４１０が嵌合孔４２０に嵌合されることによって一体に結合される。左ケーシング４１と右ケーシング４２とが接合される上端部分には組立孔４３が設けられ、組立孔４３の内径には挟持溝４４が設けられる。
【００１７】
鐘５０は、外部カバー４０よりも小さく、下方に開口を備える。外部カバー４０内に収容され、鐘５０の上端には鐘孔部５１が設けられる。
【００１８】
固定部材６０は、鐘５０の開口内から上向きに配置されて鐘５０の鐘孔部５１に接する支持台６１が設けられると共に上向きに軸部材６２が設けられていて、軸部材６２は鐘孔部５１を貫通して外部カバー４０の組立孔４３内に達する。軸部材６２の上端には定位突部６３が設けられ、定位突部６３は左ケーシング４１および右ケーシング４２の挟持溝４４によって挟持固定されることによって、鐘５０は固定部材６０を介して外部カバー４０内に吊設される。固定部材６０底端の一側には下向きに突出部６４が設けられ、突出部６４には枢設孔６５が横向きに設けられる。また、固定部材６０の軸心には上下に挿通する固定部材孔６６が設けられる。
【００１９】
打撃ハンマー７０は、固定部材孔６６の真下に設置されたロッド部７１を備え、その先端には打撃部７２が設けられ、ロッド部７１の上端の偏心位置には枢軸７３が横向きに設けられ、枢軸７３は固定部材６０下に形成された突出部６４の枢設孔６５内に枢設される。
【００２０】
押圧構造は、ばね８１、制御ロッド８２および押圧ボタン８４から構成される。ばね８１は枢軸７３に嵌合されて、ばね端部８１０が固定部材６０底端に支持され、他端部８１１が打撃ハンマー７０のロッド部７１に支持され、ロッド部７１はばね８１の弾力によって固定部材孔６６の真下に位置決めされる。制御ロッド８２は固定部材孔６６内を貫通してその底端はロッド部７１上に当接し、また上端は外部カバー４０上方から突出する。制御ロッド８２には固定部材孔６６の大きさに応じてその開口位置にリングが嵌合され、制御ロッド８２が脱出しないようにしている。制御ロッド８２上端には押圧ボタン８４が設けられ、押圧ボタン８４が押下げられる度に制御ロッド８２が動かされ、ロッド部７１が枢軸７３を中心にして打撃ハンマー７０を揺動させ、打撃部７２が鐘５０を打撃する。
【００２１】
図６に示すように、押圧構造は、ばね８１の弾力によって打撃ハンマー７０は初期状態に定位され、制御ロッド８２が押圧された後、制御ロッド８２底端がロッド部７１を動かし、図７に示すように、ばね８１の弾力に逆らってロッド部７１が枢軸７３を中心として回動して打撃部７２により鐘５０を打撃する。外力から開放されたとき、ばね８１の弾力によって打撃ハンマー７０は元の位置に復元される。
【００２２】
本考案は少なくとも下記の二つの長所を有する。
１  本考案による呼び鈴は、鐘５０が外部カバー４０によって覆われており、鐘５０の底端が外部カバー内に吊設されているので、鐘５０を保護でき、鐘５０を鳴らす動作をするとき、手は外部カバーに触れるだけで、鐘５０には触れないので、鐘５０は明瞭な音色出すことができる。
２  本考案による呼び鈴は、鐘５０の底端が固定部材６０によって外部カバー４０内に吊設され、外部カバー４０は呼び鈴の置かれた全ての平面部分に接近させることができるので、従来技術によるもののように鐘の底端に大きな隙間ができる欠点を解決でき、その共鳴効果は特許文献１に示す構造よりもはるかに優れる。
【００２３】
上述の詳細な説明は本考案の一実施例を示したものであり、本考案の実施範囲を制限するものではなく、本考案に基づく変更および修飾はすべて本考案に含まれる。
【図面の簡単な説明】
【００２４】
【図１】特許文献１の立体分解図である。
【図２】特許文献１の断面図である。
【図３】特許文献１の側面図である。
【図４】本考案の立体分解図である。
【図５】本考案の斜視図である。
【図６】本考案の断面図である。
【図７】本考案の打撃状態を示す断面図である。
【符号の説明】
【００２５】
４０    外部カバー
４１    左ケーシング
４１０  嵌合柱
４２    右ケーシング
４２０  嵌合孔
４３    組立孔
４４    挟持溝
５０    鐘
５１    鐘孔部
６０    固定部材
６１    支持台
６２    軸部材
６３    定位突部
６４    突出部
６５    枢設孔
６６    固定部材孔
７０    打撃ハンマー
７１    ロッド部
７２    打撃部
７３    枢軸
８１    ばね
８１０、８１１  ばね端部
８２    制御ロッド
８３    リング
８４    押圧ボタン
【図１】
0003120162.tif 000003
【図２】
0003120162.tif 000004
【図３】
0003120162.tif 000005
【図４】
0003120162.tif 000006
【図５】
0003120162.tif 000007
【図６】
0003120162.tif 000008
【図７】
0003120162.tif 000009